(57)【要約】【課題】エレベータの乗りかごで種別の異なる利用者が乗り合わせるのを防止して、種別の異なる利用者に応じた乗りかごのセキュリティ運転を行うことにより、種別の異なる利用者に対するセキュリティ性を高めることができるエレベータの制御装置を提供する。【解決手段】利用者のセキュリティ認証登録順序および利用者の種別によりエレベータの動作を制御するエレベータの制御装置は、利用者のセキュリティ認証登録順序および利用者の種別を保存する記憶装置３１と、利用者のセキュリティ認証登録順序および利用者の種別毎に１認証ずつエレベータの乗りかごのセキュリティ運転を実行する運転制御部３０とを備える。【選択図】図１
2010006551.tif 000002
【特許請求の範囲】
【請求項１】
利用者のセキュリティ認証登録順序および利用者の種別によりエレベータの動作を制御するエレベータの制御装置であって、
前記利用者のセキュリティ認証登録順序および前記利用者の種別を保存する記憶装置と、
前記利用者のセキュリティ認証登録順序および前記利用者の種別毎に１認証ずつ前記エレベータの乗りかごのセキュリティ運転を実行する運転制御部と、
を備えることを特徴とするエレベータの制御装置。
【請求項２】
前記利用者のセキュリティ認証登録順序および前記利用者の種別を前記エレベータの乗場に表示するためのインジケータを有することを特徴とする請求項１に記載のエレベータの制御装置。
【請求項３】
前記利用者のセキュリティ認証登録をした場合に、前記利用者のセキュリティ認証登録を取り消すためのセキュリティ認証取り消し部と、
前記利用者のセキュリティ認証登録を行うためのキーリーダであって、前記セキュリティ認証取り消し部を操作しながら認証を行うと登録済みの前記利用者のセキュリティ認証登録を取り消し可能な前記キーリーダと、
を有することを特徴とする請求項１または請求項２に記載のエレベータの制御装置。
【請求項４】
前記利用者の行き先階を前記乗場に表示し前記利用者がエレベータ乗込み中であることを前記乗場に表示するインジケータを有し、前記運転制御部は、前記エレベータの利用中に前記乗りかごを前記行き先階に直行運転させることを特徴とする請求項１〜請求項３のいずれか１つの項に記載のエレベータの制御装置。
【請求項５】
前記乗場呼びの登録順序を保存する前記記憶装置と、
前記乗場呼びの登録順序を表示するインジケータと、を有し、前記運転制御部は、前記乗場呼びの登録順序に応答して前記乗りかごを運転させることを特徴とする請求項１〜請求項４のいずれか１つの項に記載のエレベータの制御装置。
【発明の詳細な説明】
【技術分野】
【０００１】
本発明は、エレベータの制御装置に関し、特に利用者の認証登録順序や居住者、管理者、来訪者等の種別の異なる利用者に応じたエレベータのセキュリティ運転を行うエレベータの制御装置に関する。
【背景技術】
【０００２】
近年、集合住宅やオフィスビル等の居住者、管理者、来訪者等の種別の異なる利用者が利用する建物におけるセキュリティが重要視されている。エレベータが、たとえば集合住宅に設置されている場合に、エレベータにおいて階床の異なる利用者や、居住者、来訪者、集合住宅の管理者等の種別の異なる利用者に応じた複数の種類のセキュリティ運転を行う際には、種別の異なる利用者が重複して認証登録された場合に、複数の種類のセキュリティ運転を混ぜ合わせて一度に応答していた。
【０００３】
また、特許文献１には、許可された行き先階が複数であっても、行き先呼び登録情報と、行き先呼び登録許可階の情報とを照合して階床が一致した行き先呼びを1個だけ登録してエレベータを運転することで、セキュリティレベルの低下を防止するエレベータの制御装置が提案されている。
【特許文献１】特開２００６―１５１５８０号公報
【発明の開示】
【発明が解決しようとする課題】
【０００４】
しかし、特許文献１に開示された技術では、複数の利用者が認証登録を行った場合に、一度に全ての認証を受け付けているために、その利用者とこのなる種別の利用者である他人とが乗り合わせてしまう確率が高くなってしまう。また、複数の種類のセキュリティ運転を混ぜ合わせて一度に応答することにより、利用者の種別に応じた個別のセキュリティ運転が行えずに、セキュリティ性が低下する問題があった。
【０００５】
また、特許文献１に記載された技術では、行き先呼び登録情報と、行き先呼び登録許可階の情報とを照合して階床が一致した行き先呼びを1個だけ登録する方式であるために、居住者、管理者、来訪者等の種別の異なる利用者が利用する建物におけるエレベータのセキュリティ運転には適用が難しい。
【０００６】
本発明は上記課題を解決するためになされたものであり、本発明の目的は、エレベータの乗りかごで種別の異なる利用者が乗り合わせるのを防止して、種別の異なる利用者に応じた乗りかごのセキュリティ運転を行うことにより、種別の異なる利用者に対するセキュリティ性を高めることができるエレベータの制御装置を提供することができる。
【課題を解決するための手段】
【０００７】
本発明のエレベータの制御装置は、利用者のセキュリティ認証登録順序および利用者の種別によりエレベータの動作を制御するエレベータの制御装置であって、前記利用者のセキュリティ認証登録順序および前記利用者の種別を保存する記憶装置と、前記利用者のセキュリティ認証登録順序および前記利用者の種別毎に１認証ずつ前記エレベータの乗りかごのセキュリティ運転を実行する運転制御部と、を備えることを特徴とする。
【発明の効果】
【０００８】
本発明によれば、エレベータの乗りかごで種別の異なる利用者が乗り合わせるのを防止して、種別の異なる利用者に応じた乗りかごのセキュリティ運転を行うことにより、種別の異なる利用者に対するセキュリティ性を高めることができるエレベータの制御装置を提供することができる。
【発明を実施するための最良の形態】
【０００９】
以下、本発明の実施の形態について図面を参照して詳細に説明する。
【００１０】
（第１の実施の形態）
図１は、エレベータの制御装置の好ましい実施形態を有するエレベータが設置された集合住宅の縦断面図である。
【００１１】
図１に示す集合住宅１は、セキュリティが重視される建物であり、例えば玄関階Ｆ１と３つの居住者階Ｆ２，Ｆ３，Ｆ４を有している。集合住宅１は、居住者階Ｆ２，Ｆ３，Ｆ４の居住者宅３ａ，３ｂ，３ｃ，３ｄ，３ｅ，３ｆと、玄関ホール４と、玄関階エレベータ乗場７と、エレベータ２５を備える。
【００１２】
エレベータ２５の昇降路１９内には、乗りかご１６と、おもり２６と、巻上機２８と、エレベータ運転制御部３０を配置している。
【００１３】
エレベータの制御装置は、エレベータ運転制御部３０と、記憶装置３１と、玄関インターホーン１１と玄関キーリーダ５と、エレベータ乗場キーリーダ８と認証取消ボタン１７と、玄関階インジケータ１３と、居住階インジケータ１４ａと居住階乗場呼びボタン１５ａと、居住階インジケータ１４ｂと居住階乗場呼びボタン１５ｂと、居住階インジケータ１４ｃと居住階乗場呼びボタン１５ｃと、居住者宅インターホーン４３ａ，４３ｂ，４３ｃ，４３ｄ，４３ｅ，４３ｆを有している。
【００１４】
エレベータ運転制御部３０は、例えばエレベータ制御盤であり、記憶装置３１はエレベータ運転制御部３０内に配置されている。この記憶装置３１は、利用者のセキュリティ認証登録順序および前記利用者の種別を保存し、乗場呼びの登録順序を記憶して保存することができる。
【００１５】
ワイヤーロープ２７の一端部は乗りかご１６に連結され、ワイヤーロープ２７の他端部はおもり２６に連結されており、エレベータ運転制御部３０が巻上機２８のモータの動作を制御することにより、乗りかご１６はＺ方向に沿って昇降して、玄関階Ｆ１のエレベータドア１８ａと、３つの居住者階Ｆ２，Ｆ３，Ｆ４の各階のエレベータドア１８ｂ，１８ｃ，１８ｄのそれぞれに対応して位置決めされるようになっている。
【００１６】
図１に示すように、玄関階Ｆ１は、玄関ホール４と、玄関階エレベータ乗場７を有する。玄関ホール４と玄関階エレベータ乗場７の間には、玄関ドア６が設けられている。玄関ホール４には、玄関インターホーン１１と玄関キーリーダ５とが設置されている。玄関階エレベータ乗場７には、エレベータ乗場キーリーダ８と、セキュリティ認証取り消し部の一例である認証取消ボタン１７と、情報の表示部である玄関階インジケータ１３とが設けられている。エレベータ乗場キーリーダ８と認証取消ボタン１７と玄関階インジケータ１３は、玄関階Ｆ１のエレベータドア１８ａの近傍に配置されている。
【００１７】
図１に示すように、居住階インジケータ１４ａと居住階乗場呼びボタン１５ａが、居住者階Ｆ２のエレベータドア１８ｂの近傍に配置されている。同様にして、居住階インジケータ１４ｂと居住階乗場呼びボタン１５ｂが、居住者階Ｆ３のエレベータドア１８ｃの近傍に配置され、居住階インジケータ１４ｃと居住階乗場呼びボタン１５ｃが、居住者階Ｆ４のエレベータドア１８ｄ近傍に配置されている。居住階乗場呼びボタン１５ａ、１５ｂは、上方向ボタンと下方向ボタンを備え、居住階乗場呼びボタン１５ｃは、下方向ボタンを備えている。
【００１８】
各居住者宅３ａ，３ｂ，３ｃ，３ｄ，３ｅ，３ｆには、それぞれ居住者宅インターホーン４３ａ，４３ｂ，４３ｃ，４３ｄ，４３ｅ，４３ｆが配置されている。
【００１９】
図１に示すように、エレベータ運転制御部３０は、玄関インターホーン１１と玄関キーリーダ５、エレベータ乗場キーリーダ８と、認証取消ボタン１７と、玄関階インジケータ１３、居住階インジケータ１４ａと居住階乗場呼びボタン１５ａ、居住階インジケータ１４ｂと居住階乗場呼びボタン１５ｂ、居住階インジケータ１４ｃと居住階乗場呼びボタン１５ｃ、そして居住者宅インターホーン４３ａ，４３ｂ，４３ｃ，４３ｄ，４３ｅ，４３ｆに対してそれぞれ電気的に接続されている。居住階インジケータ１４ａ、１４ｂ、１４ｃは、情報の表示部である。
【００２０】
次に、図２を参照して、玄関インターホーン１１とエレベータ乗場キーリーダ８と玄関キーリーダ５により認証登録することから、記憶装置３１にその認証登録した認証番号を格納する手順を説明する。
【００２１】
図２は、本発明の第１の実施の形態のセキュリティ認証入力時における記憶装置３１への認証番号格納動作の一例を示すフロー図であり、ステップＳ１〜Ｓ３を有する。
【００２２】
利用者が居住者２である場合には、ステップＳ１では、図１に示す居住者２が、集合住宅１の居住者宅３ａ，３ｂ，３ｃ，３ｄ，３ｅ，３ｆのいずれかに帰宅する場合に、居住者２が集合住宅１の玄関ホール４に設置されている玄関キーリーダ５により玄関ドア６を開錠する。そして玄関階エレベータ乗場７に移動してエレベータ乗場キーリーダ８によりエレベータの乗りかご１６を呼び戻す。あるいは、利用者が管理者１２である場合には、管理者１２が、集合住宅１の居住者宅３ａ，３ｂ，３ｃ，３ｄ，３ｅ，３ｆに移動する場合に、管理者１２が集合住宅１の玄関ホール４に設置されている玄関キーリーダ５により玄関ドア６を開錠する。そして玄関階エレベータ乗場７に移動してエレベータ乗場キーリーダ８によりエレベータの乗りかご１６を呼び戻す。これにより、玄関キーリーダ５は、居住者２の認証番号または管理者１２の認証番号を読み取って、エレベータ乗場キーリーダ８はエレベータ運転制御部３０にその読み取った認証番号を送信する。
【００２３】
そして、ステップＳ２では、エレベータ運転制御部３０では、エレベータ乗場キーリーダ８を用いて登録した認証番号が正しければ、ステップＳ３では、エレベータ運転制御部３０の記憶装置３１には、その認証番号が認証された順番で格納される。
【００２４】
また、利用者が来訪者１０である場合には、ステップＳ１では、来訪者１０が、集合住宅１の居住者宅３ａ，３ｂ，３ｃ，３ｄ，３ｅ，３ｆを訪問する場合には、来訪者１０は、集合住宅１の玄関ホール４に設置されている玄関インターホーン１１により訪問しようとする居住者宅３ａ，３ｂ，３ｃ，３ｄ，３ｅ，３ｆの居住者２との間で、居住者宅インターホーン４３ａ，４３ｂ，４３ｃ，４３ｄ，４３ｅ，４３ｆを用いて通話する。来訪者１０は、この居住者宅インターホーン４３ａ，４３ｂ，４３ｃ，４３ｄ，４３ｅ，４３ｆで認証登録をして、居住者宅インターホーン４３ａ，４３ｂ，４３ｃ，４３ｄ，４３ｅ，４３ｆから玄関ドア６の開錠およびエレベータ運転制御部３０に訪問者１０の認証番号を送信してもらう。
【００２５】
そして、ステップＳ２では、エレベータ運転制御部３０では、居住者宅インターホーンを用いて登録した認証番号が正しければ、ステップＳ３では、エレベータ運転制御部３０の記憶装置３１には、その認証番号が認証された順番で格納される。
【００２６】
次に、図３と図４に示す認証登録入力処理ステップＳ４に移る。
【００２７】
図３と図４は、本発明の実施形態の玄関階からのエレベータ乗車時におけるセキュリティ認証動作と認証状況表示と、エレベータ利用状況表示の一例を示すフロー図であり、図３はステップＳ５〜ステップＳ１０a、Ｓ１０ｂ、１０ｃを有し、図４はステップＳ１１〜ステップＳ１９を有する。
【００２８】
まず、図３の認証登録入力処理ステップＳ４に移り、図３のステップＳ５では、図１のエレベータ運転制御部３０の記憶装置３１に認証番号が格納されているかを確認して認証番号が格納されている時には、ステップＳ６に移る。ステップＳ６では、玄関階インジケータ１３に認証登録順序および利用者の種別が表示されておらず認証登録が実行される前の状態である場合には、ステップＳ７において、エレベータ運転制御部３０の記憶装置３１に格納された最初の認証番号に対するエレベータ２５の乗りかご１６のセキュリティ運転を実行する。
【００２９】
この時点で、ステップＳ１において複数の認証登録が行われている場合でも、ステップＳ７では、エレベータ運転制御部３０は、最初に認証登録された認証番号のセキュリティ運転だけを実行して、最初に認証登録された利用者と他人との乗合わせを防止して、利用者一人一人に応じた個別のセキュリティ運転を行い、ステップＳ８に移る。
【００３０】
なお、ステップＳ６では、玄関階インジケータ１３に認証登録順序および利用者の種別が表示されており既に認証登録が実行された状態である場合には、ステップＳ８に移る。
【００３１】
図３に示すステップＳ８では、エレベータ運転制御部３０がこのエレベータ２５の乗りかご１６のセキュリティ運転を実行する時に、エレベータ運転制御部３０は、セキュリティ運転を実行する認証番号の階床位置および利用者の種類（管理者１２、居住者２、来訪者１０）を判別する。
【００３２】
エレベータ運転制御部３０が判別の結果、利用者が管理者１２である場合には、ステップＳ９aとステップＳ１０aに移り、利用者が居住者２である場合には、ステップＳ９ｂとステップＳ１０ｂに移り、そして管理者が来訪者１０である場合には、ステップＳ９ｃとステップＳ１０ｃに移る。
【００３３】
このエレベータ運転制御部３０が判別の結果、利用者が管理者１２である場合には、ステップＳ９aでは、エレベータ運転制御部３０は玄関階インジケータ１３に認証登録順序および利用者の種類（管理者１２）を表示して、玄関ホール４にいる利用者に対して誰の認証が実行されようとしているのかを、この利用者が把握できるように報知する。そして、ステップＳ１０aでは、エレベータ運転制御部３０が利用者の種類（管理者１２）に応じた管理者１２のためのセキュリティ運転を実行する。このセキュリティ運転では、例えばエレベータ２５の乗りかご１６を玄関階Ｆ１の玄関ホール４に呼び戻して、玄関ホール４で戸開待機する。利用者（管理者１２）が戸開待機中にエレベータの乗りかご１６内に乗込んで全階床の行き先階呼びを登録可能として、利用者（管理者１２）は任意の行き先階呼びを登録することができる。
【００３４】
また、エレベータ運転制御部３０が判別の結果、利用者が居住者２である場合には、ステップＳ９ｂでは、エレベータ運転制御部３０は玄関階インジケータ１３に認証登録順序および利用者の種類（居住者２）を表示して、玄関ホール４にいる利用者に対して誰の認証が実行されようとしているのかを、この利用者が把握できるように報知する。そして、ステップＳ１０ｂでは、エレベータ運転制御部３０が利用者の種類（居住者２）に応じた居住者２のためのセキュリティ運転を実行する。このセキュリティ運転では、例えばエレベータの乗りかご１６を玄関ホール４に呼び戻して、玄関ホール４で戸開待機する。利用者（居住者２）が戸開待機中にエレベータの乗りかご１６内に乗込んだときには利用者（居住者２）に対して、居住階の行き先階呼びが自動的に登録される。
【００３５】
さらに、判別の結果、利用者が来訪者１０である場合には、ステップＳ９ｃでは、エレベータ運転制御部３０は玄関階インジケータ１３に認証登録順序および利用者の種類（来訪者１０）を表示して、玄関階４にいる利用者に対して誰の認証が実行されようとしているのかを、この利用者が把握できるように報知する。そして、ステップＳ１０aでは、エレベータ運転制御部３０は利用者の種類（来訪者１０）に応じた来訪者１０のためのセキュリティ運転を実行する。このセキュリティ運転では、例えばエレベータの乗りかご１６を玄関ホール４に呼び戻して、玄関ホール４で戸開待機する。利用者（来訪者１０）が戸開待機中にエレベータの乗りかご１６内に乗込んで訪問階の行き先階呼びを登録可能として、利用者（来訪者１０）は、訪問階の行き先階呼びを登録することができる。
【００３６】
次に、図４に示すステップＳ１１では、エレベータ運転制御部３０は、各居住階インジケータ１４ａ、１４ｂ、１４ｃにおいて、行き先階の表示とエレベータ乗り込み中の表示を行い、各居住階Ｆ２、Ｆ３、Ｆ４の居住者に対してエレベータの利用状況を報知しながら、ステップＳ１２では、エレベータ運転制御部３０の指令により乗りかご１６は行き先階へ走行を開始する。ステップＳ１３では、乗りかご１６が行き先階へ走行を開始すると、エレベータ運転制御部３０は玄関階インジケータ１３および各居住階インジケータ１４ａ、１４ｂ、１４ｃから、表示内容である応答終了した認証登録および利用者の種別を消去する。
【００３７】
次に、ステップＳ１４において、次の認証番号が記憶装置３１に格納されていれば、次に応答する認証登録の予告表示を、ステップＳ１５、Ｓ１６、Ｓ１７a、Ｓ１７ｂ、Ｓ１７ｃにおいて、玄関ホール４の利用者の種類（管理者１２、居住者２、来訪者１０）に対して行う。すなわち、ステップＳ１５では、エレベータ運転制御部３０は、記憶装置３１に格納された次の認証番号に対するセキュリティ運転を実行する。このセキュリティ運転を実行する時に、ステップＳ１６では、エレベータ運転制御部３０は、実行する次の認証番号の階床位置および利用者の種類（管理者１２、居住者２、来訪者１０）を判別する。
【００３８】
判別の結果、利用者が管理者１２である場合には、ステップＳ１７aに移り、玄関階インジケータ１３に認証登録順序および利用者の種別（管理者１２）を表示する。また、判別の結果、利用者が居住者２である場合には、ステップＳ１７ｂに移り、玄関階インジケータ１３に認証登録順序および利用者の種別（居住者２）を表示する。そして、判別の結果、利用者が来訪者１０である場合には、ステップＳ１７ｃに移り、玄関階インジケータ１３に認証登録順序および利用者の種別（来訪者１０）を表示する。
【００３９】
なお、ステップＳ１４において、次の認証番号が記憶装置３１に格納されていなければステップＳ１８に移る。
【００４０】
次に、ステップＳ１８では、乗りかご１６が最初の認証登録により行き先階に到着後、ステップＳ１９では、エレベータ運転制御部３０は、各居住階インジケータ１４a、１４ｂ、１４ｃから行き先階の表示とエレベータ乗り込み中の表示を消して、次の認証登録の実行に移るために、ステップＳ１９からは図３の開始へ戻る。
【００４１】
本発明の第１の実施の形態のエレベータの制御装置によれば、エレベータの乗りかご１６において、利用者のセキュリティ認証登録順序および利用者の種別毎に１認証ずつエレベータの乗りかごのセキュリティ運転を実行することで、種別の異なる利用者が乗り合わせるのを防止して、種別の異なる利用者に応じたセキュリティ運転を行うことにより、種別の異なる利用者に対するセキュリティ性を高めることができる。
【００４２】
（第２の実施の形態）
次に、本発明の第２の実施の形態について説明する。
【００４３】
上述した本発明の第1の実施の形態において、利用者が玄関階Ｆ１でもしも間違った認証登録をした場合には、第２の実施の形態に付け加えて、次のようにして、利用者は登録済みの認証登録を取り消すことができる。
【００４４】
すなわち、玄関階エレベータ乗場７に設置されている認証取消しボタン１７を押しながら、エレベータ乗場キーリーダ８により認証することにより、エレベータ運転制御部３０は登録済みの認証を取り消すことができる。認証取消しボタン１７とエレベータ乗場キーリーダ８は登録済みの認証を取り消すための手段を構成している。これにより、利用者は、間違った認証登録をしても取り消すことができるので、エレベータ運転制御部３０は、不要なセキュリティ運転を防止することができる。
【００４５】
（第３の実施の形態）
次に、本発明の第３の実施の形態について、図５を参照して説明する。図５は、本発明の第３の実施の形態において、利用者が居住階からエレベータ乗車をする際におけるエレベータ応答動作と認証状況表示の一例を示すフロー図であり、ステップＳ２０aからステップＳ２７を有している。
【００４６】
図５のステップＳ２０aでは、居住者２あるいは管理者１２あるいは来訪者１０が、集合住宅１の居住者宅３ａ，３ｂ，３ｃ，３ｄ，３ｅ，３ｆから玄関ホール４の外に出る場合にも、乗り合わせ防止の処置を行う。すなわち、ステップＳ２０aでは、居住者２あるいは管理者１２あるいは来訪者１０が、各居住階Ｆ２、Ｆ３、Ｆ３の乗場呼びボタン１５ａ、１５ｂ、１５ｃを押して、乗場呼びを登録するが、ステップＳ２１aでは、乗場呼び応答時に乗りかご１６内に既に乗客がいて行き先階呼びが既に登録されている場合には、ステップＳ２１ｂに進む。ステップＳ２１ｂでは、各居住階インジケータ１４a、１４ｂ、１４ｃにおいて、行き先階の表示とエレベータ乗り込み中の表示をした上で、ステップＳ２０ｂでは乗場呼びに応答せずに乗りかご１６は通過する。
【００４７】
これにより、エレベータの乗りかご１６内の乗客と居住階の利用者との乗り合わせを防止することができる。
【００４８】
ステップＳ２１aに戻ると、乗場呼び応答時に乗りかご１６内には乗客がおらず行き先階呼びが未登録の状態であれば、ステップＳ２２では、居住階の乗場呼びに応答して乗りかご１６は居住階の乗場に到着して停止する。その後、ステップＳ２３では、居住者２あるいは管理者１２あるいは来訪者１０が、乗りかご１６内に乗り込んで玄関階Ｆ１の行き先階を登録する。
【００４９】
ステップＳ２４では、先程と同様に、各居住階インジケータ１４a、１４ｂ、１４ｃに行き先階の表示とエレベータ乗り込み中の表示を行い、ステップＳ２５では、乗りかご１６は居住階の乗場呼びには応答せずに通過する。ステップＳ２６では、乗りかご１６は行き先階に到着し、ステップＳ２７では、エレベータ運転制御部３０は各居住階インジケータ１４a、１４ｂ、１４ｃから行き先階の表示と乗り込み中の表示を消去する。
【００５０】
（第４の実施の形態）
次に、本発明の第４の実施の形態について説明する。
【００５１】
本発明の第４の実施の形態は、上記実施の形態に加えて、乗場呼びの登録順序も図１に示す記憶装置３１に格納して、各居住階インジケータ１４a、１４ｂ、１４ｃに乗場呼びの登録順序を表示の上、乗りかご１６の乗場呼びは登録順序に沿って応答するようにすれば、居住階によって待ち時間の長さにムラが出る問題を防止することができる。
【００５２】
本発明のエレベータの制御装置の実施形態では、種別の異なる利用者のエレベータの乗りかごにおける乗り合わせを防止して、エレベータ利用時にセキュリティ性を高めることができる。また、玄関階での利用者の認証状況や、居住階でのエレベータの乗りかごの利用状況を目視で確認でき、利用者にとってより高いセキュリティを維持しながら、エレベータの乗りかごの使用勝手を維持することができる。本発明のエレベータの制御装置の実施形態では、セキュリティ認証装置からの情報は、情報識別部であるキーリーダにより識別して記憶装置に記憶して、そのセキュリティ認証装置からの情報通りにエレベータの運転およびインジケータにおけるセキュリティ状況の表示を行うことができる。
【００５３】
本発明のエレベータの制御装置は、利用者のセキュリティ認証登録順序および利用者の種別によりエレベータの動作を制御するエレベータの制御装置であって、利用者のセキュリティ認証登録順序および利用者の種別を保存する記憶装置と、利用者のセキュリティ認証登録順序および利用者の種別毎に１認証ずつエレベータの乗りかごのセキュリティ運転を実行する運転制御部と、を備える。
【００５４】
これにより、エレベータの乗りかごで種別の異なる利用者が乗り合わせるのを防止して、種別の異なる利用者に応じた乗りかごのセキュリティ運転を行うことにより、種別の異なる利用者に対するセキュリティ性を高めることができる。
【００５５】
また、利用者のセキュリティ認証登録順序および利用者の種別をエレベータの乗場に表示するためのインジケータを有する。これにより、利用者のセキュリティ認証登録順序および利用者の種別をエレベータの乗場に表示するので、利用者に対してこれらの情報を確実に報知できる。
【００５６】
利用者のセキュリティ認証登録をした場合に、利用者のセキュリティ認証登録を取り消すためのセキュリティ認証取り消し部と、利用者のセキュリティ認証登録を行うためのキーリーダであって、セキュリティ認証取り消し部を操作しながら認証を行うと登録済みの利用者のセキュリティ認証登録を取り消し可能なキーリーダと、を有する。
【００５７】
これにより、セキュリティ認証取り消し部を操作しながらキーリーダにより認証を行うことで、登録済みの利用者のセキュリティ認証登録を確実に取り消すことができ、エレベータの乗りかごの不要なセキュリティ運転を防止できる。
【００５８】
利用者の行き先階を乗場に表示し利用者がエレベータ乗込み中であることを乗場に表示するインジケータを有し、運転制御部は、エレベータの利用中に乗りかごを行き先階に直行運転させる。
【００５９】
これにより、利用者の行き先階を乗場に表示ししかも利用者がエレベータ乗込み中であることを乗場に表示して利用者にこれらの情報を確実に報知できる。そして、運転制御部は、エレベータの利用中に乗りかごを行き先階に直行運転させることで、乗場からの乗込みを防いで、エレベータの乗りかごで種別の異なる利用者が乗り合わせるのを防止できる。
【００６０】
乗場呼びの登録順序を保存する記憶装置と、乗場呼びの登録順序を表示するインジケータと、を有し、運転制御部は、乗場呼びの登録順序に応答して乗りかごを運転させる。
【００６１】
これにより、乗場呼びの登録順序を表示して利用者に対して確実に報知でき、運転制御部は、前記乗場呼びの登録順序に応答して前記乗りかごを運転させるので、居住階によって待ち時間の長さにムラがでることを防止できる。
【００６２】
なお、この発明は、上記実施の形態そのままに限定されるものではなく、実施段階ではその要旨を逸脱しない範囲で構成要素を変形して具体化できる。
【００６３】
本発明のエレベータの制御装置が配置されている建物としては、図１に示す集合住宅１を一例としているが、これに限らず他の種類の形態の建物、例えばオフィス等の建物であって良い。また、本発明のエレベータの制御装置が配置されている建物は、玄関ホールを複数階有する建物や、地下階を有する建物であっても良い。
【００６４】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００６５】
【図１】エレベータの制御装置の好ましい第1の実施の形態を有するエレベータシステムが配置された集合住宅の縦断面図である。
【図２】本発明の第１の実施の形態のセキュリティ認証入力時における記憶装置への認証番号格納動作の一例を示すフロー図である。
【図３】本発明の第２の実施の形態の玄関階からのエレベータ乗車時におけるセキュリティ認証動作と認証状況表示と、エレベータ利用状況表示の一例の前半を示すフロー図である。
【図４】図３のフロー図の後半を示すフロー図である。
【図５】本発明の第３の実施の形態における居住階からのエレベータ乗車時におけるエレベータ応答動作と認証状況表示の一例を示すフロー図である。
【符号の説明】
【００６６】
１        集合住宅
２        居住者
３ａ，３ｂ，３ｃ，３ｄ，３ｅ，３ｆ    居住者宅  
４        玄関ホール
５        玄関キーリーダ
６        玄関ドア
７        玄関階エレベータ乗場
８        エレベータ乗場キーリーダ
１０      来訪者
１１      玄関インターホーン
１２      管理者
１３      玄関階インジケータ
１４a、１４ｂ、１４ｃ    居住階インジケータ
１５ａ、１５ｂ、１５ｃ    居住階乗場呼びボタン
１６      エレベータの乗りかご
１７      認証取消ボタン（セキュリティ認証取り消し部の一例）
１８ａ，１８ｂ，１８ｃ，１８ｄ    各階のエレベータドア
１９      エレベータの昇降路
２５      エレベータ
３０      エレベータの運行制御部
３１      記憶装置
４３ａ，４３ｂ，４３ｃ，４３ｄ，４３ｅ，４３ｆ    居住者宅インターホーン
Ｆ１      玄関階
Ｆ２，Ｆ３，Ｆ４    居住者階
【図１】
2010006551.tif 000003
【図２】
2010006551.tif 000004
【図３】
2010006551.tif 000005
【図４】
2010006551.tif 000006
【図５】
2010006551.tif 000007